(57)【要約】【課題】多功能インターネットカメラ三脚構造の提供。【解決手段】多功能インターネットカメラ三脚構造は、インターネットカメラを掛ける、置くの定位を提供する多功能支承フレーム構造で、主に、可動承置座と、湾折可能な軸棒座と、からなる。可動承置座は矩状の容室で、その一面の長い矩状の端面のもう一端は伸縮滑移できる導柱を枢設し、長い矩状の端面は固定物の幅により挟持の接合を行い、レンズユニットを承置して定位させる。湾折可能な軸棒座は、二片のU字型の板片によりハブの棒を形成し、板片表面に緩衝パッドを設置し、緩衝パッドは防滑、絶縁、及び、安定性がある。レンズユニットが可動承置座に軸設される時、使用者は自身で湾曲度を調整すると共に、掛ける、或いは、置くの定位が可能で、上述の二素子の組み合わせにより、同時に、創意とフレキシブル性のあるインターネットカメラ定位を達成する。【選択図】    図１
0003136780.tif 000002
【実用新案登録請求の範囲】
【請求項１】
多功能インターネットカメラ三脚構造であって、インターネットカメラを掛ける、置くの定位を提供する多功能支承フレーム構造で、その特徴は、可動承置座と、湾折可能な軸棒座と、からなり、
前記可動承置座は矩状の容室で、その一面の長い矩状の端面は、長矩形片板と通孔を有し、前記片板一側面は少なくとも一本以上の導柱を延伸し、前記導柱の端面は阻止片を螺設し、前記片板の導柱が前記通孔を穿過し、且つ、矩状の容室内に進入し、伸縮ばねを設置して、更に、前記阻止片を鎖固し、上述の組み合わせにより、伸縮滑移する片板の引き伸ばしが可能で、前記片板と前記容室端面が挟板のような構造を形成し、前記可動承置座の伸縮特性により、固定物を挟持する幅は自由な挟持の接合が可能で、
前記湾折可能な軸棒座は、二片のU字型の板片がハブの棒を形成し、前記板片表面は緩衝パッドを設置し、前記緩衝パッドは防滑、絶縁、及び、安定性の特性を有し、前記可動承置座は、前記湾折可能な軸棒座のU字型板片中央段に設置され、両者は一体に結合され、又、前記ハブ棒のもう一つのU字型板片において、前後に湾曲可能で、前記ハブ棒のU字型板片と座体の固定底部を形成することを特徴とする多功能インターネットカメラ三脚構造。
【請求項２】
前記可動承置座の矩状の容室の一側の片板表面は突出する導柱を少なくとも一つ以上設置することを特徴とする請求項１に記載の多功能インターネットカメラ三脚構造。
【請求項３】
前記可動承置座の矩状の容室一側片板はアルミであることを特徴とする請求項１に記載の多功能インターネットカメラ三脚構造。
【請求項４】
前記可動承置座の容室中段にレンズユニット挿入座を有し、前記レンズユニット挿入座内にステッピングモーターを枢設し、主に、前記レンズユニットと連結した後、アプリケーションソフトウェアにより、レンズユニットを駆動させて、前後、左右、上下シフトを提供するもので、自動的な回転制御機構を有するセンサーレンズユニットを形成することを特徴とする請求項１に記載の多功能インターネットカメラ三脚構造。
【請求項５】
前記湾折可能な軸棒座上の板片表面は緩衝パッドを枢設し、且つ、前記緩衝パッドは防滑、絶縁、及び、安定性功能を有することを特徴とする請求項１に記載の多功能インターネットカメラ三脚構造。
【考案の詳細な説明】
【技術分野】
【０００１】
本考案は多功能インターネットカメラ三脚構造に関し、特に、一般のインターネットカメラを定位させる多功能支承フレーム構造に関するものである。
【背景技術】
【０００２】
現在、通信の応用は限りなく、多くはインターネットカメラを設置し、伝送ソフトウェアを組み合わせる。使用者が使用する通信設備がノート型パソコン、或いは、ipod、ブルートウース（Bluetooth）、ブラックベリーBlackberry等で、インターネットカメラを外接する時、環境によって随時掛けるか、置くかを交換できる。しかし、公知のインターネットカメラ構造は単一性の功能設計であるので、異なる環境位置での撮影要求を満たすためには、フレキシブル性が充分でない。
【考案の開示】
【考案が解決しようとする課題】
【０００３】
本考案は、公知の問題を改善する多功能インターネットカメラ三脚構造を提供することを目的とする。
【課題を解決するための手段】
【０００４】
本考案の多功能インターネットカメラ三脚構造は、インターネットカメラを掛ける、置くの定位を提供する多功能支承フレーム構造で、本考案のインターネットカメラの支承フレームは、可動承置座と、湾折可能な軸棒座と、からなる。
【０００５】
可動承置座は矩状の容室で、その一面の長い矩状の端面のもう一端は伸縮滑移できる導柱を枢設し、長い矩状の端面は固定物の幅により挟持の接合を行い、レンズユニットを承置して定位させる。
【０００６】
湾折可能な軸棒座は、二片のU字型の板片によりハブの棒を形成し、板片表面に緩衝パッドを設置し、緩衝パッドは防滑、絶縁、及び、安定性がある。
【０００７】
レンズユニットが可動承置座に軸設される時、使用者は自身で湾曲度を調整すると共に、掛ける、或いは、置くの定位が可能で、上述の二素子の組み合わせにより、同時に、創意とフレキシブル性のあるインターネットカメラ定位を達成する。
【考案の効果】
【０００８】
公知のものと比べて、フレキシブル性に富むインターネットカメラの三脚構造が提供される。
【考案を実施するための最良の形態】
【０００９】
図１と図２で示されるように、本考案の多功能インターネットカメラ三脚構造１は、インターネットカメラを掛ける、置くの定位を提供する多功能支承フレーム構造で、可動承置座１０と、湾折可能な軸棒座２０と、からなる。可動承置座１０は矩状の容室で、その一面の長い矩状の端面は、長矩形片板１１と通孔１２を有し、片板１１一側面は少なくとも一本以上の導柱１３を延伸し、導柱１３の端面は阻止片１４を螺設し、片板１１の導柱１３が通孔１２を穿過し、且つ、矩状の容室内に進入し、伸縮ばね１５を設置して、更に、阻止片１４を鎖固する。上述の組み合わせにより、伸縮滑移する片板の引き伸ばしが可能で、片板１１と容室端面１６が挟板のような構造を形成する。可動承置座１０の伸縮特性により、固定物を挟持する幅は自由な挟持の接合が可能で、可動承置座１０容室中段はレンズユニットの挿入座１７を設置し、レンズユニット挿入座１７内にステッピングモーターを枢設し、主に、レンズユニットCと連結した後、アプリケーションソフトウェアにより、レンズユニットを駆動させて、前後、左右、上下シフトを提供するもので、自動的な回転制御機構を有するセンサーレンズユニットを形成する。
【００１０】
湾折可能な軸棒座２０は、二片のU字型の板片２１、２２がハブの棒２１A、２２Aを形成し、板片２１、２２表面は緩衝パッド２３を設置し、緩衝パッド２３は防滑、絶縁、及び、安定性の特性を有し、可動承置座１０は、湾折可能な軸棒座２０のU字型板片２１、２２中央段に設置され、両者は一体に結合され、又、ハブ棒２１A、２２Aのもう一つのU字型板片２１、２２において、前後に湾曲可能で、ハブ棒２１A、２２AのU字型板片２１、２２と座体の固定底部を形成する。
【００１１】
図３で示されるように、図中、本考案は、可動承置座１０上にインターネットカメラのレンズユニットCを設置し、レンズユニットCを結合した後、可動承置座１０と湾折可能な軸棒座２０は、緊密な組み合わせを形成し、掛ける、置くが可能で、特に、多様な応用が要求されるインターネットカメラの支承フレーム構造に適する。
【００１２】
図４、図５で示されるように、図中、本考案のもう一つの実施例は、可動承置座１０一側の長矩状片板１１と矩状容室端面１６は挟板のような構造を形成し、湾折可能な軸棒座２０により、被固定物の任意の位置に設置することが出来、異なる曲度、高度の設置が可能で、カメラレンズは制限範囲内で三次元の立体空間の移転が可能である。
【図面の簡単な説明】
【００１３】
【図１】本考案の素子の分解図である。
【図２】本考案の立体外観図である。
【図３】本考案のノート型パソコンディスプレイに掛けた時の実施例を示す図である。
【図４】本考案のもう一つの実施例を示す図である。
【図５】本考案の更にもう一つの実施例を示す図である。
【符号の説明】
【００１４】
１    多功能インターネットカメラ三脚構造
１０    可動承置座
１１    片板    
１２    通孔
１３    導柱
１４    阻止片
１５    伸縮ばね
１６    端面
１７    レンズユニット挿入座
２０    湾折可能な軸棒座        
２１、２２      板片
２１A、２２A      棒
２３        緩衝パッド  
C    レンズユニット      
【図１】
0003136780.tif 000003
【図２】
0003136780.tif 000004
【図３】
0003136780.tif 000005
【図４】
0003136780.tif 000006
【図５】
0003136780.tif 000007